(57)【要約】【課題】装置の温度が臨界値に達することを防止できる携帯端末装置等を提供する。【解決手段】携帯端末装置は、該携帯端末装置の温度を検出する検出部と、検出された温度が所定値以上か否かを判定する判定部と、携帯端末装置の機能の使用履歴を収集して解析する解析部と、設定部とを有する。また、当該携帯端末装置の設定部は、検出された温度が所定値以上の場合に、使用履歴の解析結果を参照して、機能について所定使用時間以上の使用の傾向がある場合は、機能の動作モードを機能の制限を行う第１のモードに設定する。また、当該携帯端末装置の設定部は、機能について所定使用時間未満の使用の傾向がある場合は、動作モードを機能の制限を行わない第２のモードに設定する。【選択図】図１
2015005932.tif 000002
【特許請求の範囲】
【請求項１】
携帯端末装置の温度を検出する検出部と、
前記検出された温度が所定値以上か否かを判定する判定部と、
前記携帯端末装置の機能の使用履歴を収集して解析する解析部と、
前記検出された温度が前記所定値以上の場合に、前記使用履歴の解析結果を参照して、前記機能について所定使用時間以上の使用の傾向がある場合は、前記機能の動作モードを前記機能の制限を行う第１のモードに設定し、前記機能について前記所定使用時間未満の使用の傾向がある場合は、前記動作モードを前記機能の制限を行わない第２のモードに設定する設定部と、
を有することを特徴とする携帯端末装置。
【請求項２】
前記設定部は、更に、前記機能の実行時の温度上昇特性に基づいて、前記動作モードごとの使用可能時間を設定することを特徴とする請求項１に記載の携帯端末装置。
【請求項３】
前記解析部は、前記使用履歴として、カメラ、テレビ受信、データ通信、動画再生、及び、充電機能のうち１つ以上の使用履歴を収集し、
前記設定部は、前記動作モードとして、カメラ、テレビ受信、データ通信、動画再生、及び、充電機能のうち１つ以上の前記動作モードを設定することを特徴とする請求項１又は２に記載の携帯端末装置。
【請求項４】
コンピュータに、
入力された携帯端末装置の温度を検出し、
前記検出された温度が所定値以上か否かを判定し、
前記携帯端末装置の機能の使用履歴を収集して解析し、
前記温度が前記所定値以上の場合に、前記使用履歴の解析結果を参照して、前記機能について所定使用時間以上の使用の傾向がある場合は、前記機能の動作モードを前記機能の制限を行う第１のモードに設定し、前記機能について前記所定使用時間未満の使用の傾向がある場合は、前記動作モードを前記機能の制限を行わない第２のモードに設定する
処理を実行させることを特徴とする端末制御プログラム。
【請求項５】
携帯端末装置が、
前記携帯端末装置の温度を検出し、
前記検出された温度が所定値以上か否かを判定し、
前記携帯端末装置の機能の使用履歴を収集して解析し、
前記検出された温度が前記所定値以上の場合に、前記使用履歴の解析結果を参照して、前記機能について所定使用時間以上の使用の傾向がある場合は、前記機能の動作モードを前記機能の制限を行う第１のモードに設定し、前記機能について前記所定使用時間未満の使用の傾向がある場合は、前記動作モードを前記機能の制限を行わない第２のモードに設定する
処理を実行することを特徴とする端末制御方法。
【発明の詳細な説明】
【技術分野】
【０００１】
本発明は、携帯端末装置、端末制御プログラム及び端末制御方法に関する。
【背景技術】
【０００２】
携帯端末装置は、動画撮影等のＣＰＵ（Central  Processing  Unit）の負荷が高い機能を実行すると、ＣＰＵの発熱量が増加する。このため、携帯端末装置では、発熱量の増加により携帯端末装置の温度が上昇して臨界値に達すると、安全のために動画撮影等のＣＰＵの負荷が高い機能を停止させる。
【先行技術文献】
【特許文献】
【０００３】
【特許文献１】特開２００４−５６４４０号公報
【発明の概要】
【発明が解決しようとする課題】
【０００４】
しかしながら、携帯端末装置の温度が臨界値に達したために、実行中の動画撮影等の機能を停止すると、ユーザが当該機能の使用中に停止することとなり、ユーザの動画撮影等の要求を満たすことが出来なくなる。
【０００５】
一つの側面では、装置の温度が臨界値に達することを防止できる携帯端末装置、端末制御プログラム及び端末制御方法を提供することにある。
【課題を解決するための手段】
【０００６】
１つの実施態様では、携帯端末装置は、該携帯端末装置の温度を検出する検出部と、前記検出された温度が所定値以上か否かを判定する判定部と、前記携帯端末装置の機能の使用履歴を収集して解析する解析部と、設定部とを有する。また、当該携帯端末装置の設定部は、前記検出された温度が前記所定値以上の場合に、前記使用履歴の解析結果を参照して、前記機能について所定使用時間以上の使用の傾向がある場合は、前記機能の動作モードを前記機能の制限を行う第１のモードに設定する。また、当該携帯端末装置の設定部は、前記機能について前記所定使用時間未満の使用の傾向がある場合は、前記動作モードを前記機能の制限を行わない第２のモードに設定する。
【発明の効果】
【０００７】
装置の温度が臨界値に達することを防止できる。
【図面の簡単な説明】
【０００８】
【図１】図１は、実施例１の携帯端末装置の構成の一例を示すブロック図である。
【図２】図２は、実施例１の携帯端末装置の処理の一例を示すフローチャートである。
【図３】図３は、温度の検出・判定処理の一例を示すフローチャートである。
【図４】図４は、使用履歴の収集・解析処理の一例を示すフローチャートである。
【図５】図５は、動作モードの設定処理の一例を示すフローチャートである。
【図６】図６は、動作モードと温度上昇特性の関係の一例を示す説明図である。
【図７】図７は、実施例２の端末制御システムの構成の一例を示すブロック図である。
【図８】図８は、実施例２の携帯端末装置の処理の一例を示すフローチャートである。
【図９】図９は、使用履歴の収集・送信処理の一例を示すフローチャートである。
【図１０】図１０は、解析サーバの処理の一例を示すフローチャートである。
【図１１】図１１は、端末制御プログラムを実行する携帯端末機器の一例を示す説明図である。
【発明を実施するための形態】
【０００９】
以下、図面に基づいて、本願の開示する携帯端末装置、端末制御プログラム及び端末制御方法の実施例を詳細に説明する。尚、本実施例により、開示技術が限定されるものではない。また、以下の実施例は、矛盾しない範囲で適宜組みあわせてもよい。
【実施例１】
【００１０】
図１は、実施例１の携帯端末装置の構成の一例を示すブロック図である。図１に示す携帯端末装置１０は、検出部１１と、カメラ１２と、ＴＶ（Television）受信部１３と、充電部１４と、記憶部１５と、通信部１６と、表示部１７と、操作部１８と、制御部１９とを有する。
【００１１】
検出部１１は、携帯端末装置１０の温度を検出する。検出部１１は、サーミスタ又はサーマルダイオード等の温度センサを有し、温度情報を制御部１９に出力する。また、検出部１１は、制御部１９に内蔵されたサーマルダイオードを用いることもできる。
【００１２】
カメラ１２は、イメージセンサを有し画像を撮影する。イメージセンサは、ＣＭＯＳ（Complementary  Metal  Oxide  Semiconductor）イメージセンサ又はＣＣＤ（Charge  Coupled  Device）イメージセンサ等を用いることができる。カメラ１２は、動画像及び静止画像を撮影することができる。カメラ１２は、動画像として、例えば、１０８０ｉ等のＦＨＤ（Full  High  Definition  video）画質、又は、７２０ｐ等のＨＤ（High  Definition  video）画質で撮影することができる。カメラ１２は、撮影した動画像又は静止画像を画像データとして制御部１９に出力する。
【００１３】
ＴＶ受信部１３は、例えば、ＩＳＤＢ−Ｔ（Integrated  Services  Digital  Broadcasting  -  Terrestrial）方式の地上デジタルテレビ放送を受信する。ＴＶ受信部１３は、地上デジタルテレビ放送として、１２セグメントを使用したハイビジョン放送（以下、フルセグ放送という）と、１セグメントを使用した「携帯電話・移動体端末向けの１セグメント部分受信サービス」（以下、ワンセグ放送という）とを受信する。ＴＶ受信部１３は、受信データを制御部１９に出力する。
【００１４】
充電部１４は、携帯端末装置１０が内蔵する図示しない二次電池の残量を計測し、残量情報を制御部１９に出力する。充電部１４は、携帯端末装置１０に外部電源が接続され、制御部１９から充電指示が入力されると、二次電池を充電する。尚、充電部１４は、大電流での充電を行うと発熱量が増加する。
【００１５】
記憶部１５は、例えば、ＲＡＭ（Random  Access  Memory）、フラッシュメモリ（Flash  Memory）等の半導体メモリ素子、ハードディスクや光ディスク等の記憶装置によって実現される。記憶部１５は、温度情報、制御情報（臨界値及び所定値）、使用履歴及び解析結果等を記憶する。また、記憶部１５は、制御部１９での処理に用いる情報を記憶する。
【００１６】
通信部１６は、例えば、携帯電話回線や無線ＬＡＮ（Local  Area  Network）等に対応する無線通信モジュールによって実現される。ここで、携帯電話回線は、例えば、通信速度が高速だが発熱量が多い第３．９世代（例えば、ＬＴＥ；Long  Term  Evolution）等の回線と、通信速度が低速だが発熱量の少ない第３世代又は第３．５世代の回線とを用いることができる。通信部１６は、無線基地局を介して、例えば、インターネットに接続され、各種情報の通信を司る通信インタフェースである。
【００１７】
表示部１７は、各種情報を表示するための表示デバイスである。例えば、表示部１７は、液晶ディスプレイ等によって実現される。操作部１８は、ユーザから各種操作を受け付ける入力デバイスである。例えば、操作部１８は、カーソルキーやテンキー等によって実現される。尚、携帯端末装置１０にタッチパネルが採用されている場合には、表示部１７及び操作部１８は一体化される。
【００１８】
制御部１９は、例えば、ＣＰＵやＭＰＵ（Micro  Processing  Unit）等によって、内部の記憶装置に記憶されているプログラムがＲＡＭを作業領域として実行されることにより実現される。また、制御部１９は、例えば、ＡＳＩＣ（Application  Specific  Integrated  Circuit）やＦＰＧＡ（Field  Programmable  Gate  Array）等の集積回路により実現されるようにしても良い。制御部１９は、処理部２０と、判定部２１と、解析部２２と、設定部２３とを有し、以下に説明する情報処理の機能や作用を実現又は実行する。尚、制御部１９の内部構成は、図１に示した構成に限られず、後述する情報処理を行う構成であれば他の構成であってもよい。
【００１９】
処理部２０は、カメラ１２から画像データが入力される。処理部２０は、画像データに対して圧縮、編集及び表示処理等の画像処理を実行する。尚、画像処理は、図示しないＧＰＵ（Graphics  Processing  Unit）で実行することもできる。処理部２０は、画像処理後の画像データを記憶部１５に記憶するとともに、表示部１７に表示する。
【００２０】
処理部２０は、ＴＶ受信部１３から受信データが入力される。処理部２０は、受信データに対してアクセス制御処理やデコード処理等を実行し、画像データを生成する。処理部２０は、生成された画像データを表示部１７に表示する。また、処理部２０は、生成された画像データをカメラ１２から入力された画像データと同様に画像処理を実行してもよく、更に、記憶部１５に記憶するようにしてもよい。
【００２１】
処理部２０は、充電部１４から残量情報が入力される。処理部２０は、携帯端末装置１０に外部電源が接続された場合、残量情報に基づいて、二次電池の充電の要否を判定する。処理部２０は、充電が必要であると判定すると、充電部１４に充電指示を出力する。
【００２２】
処理部２０は、通信部１６を介して、インターネット上の各種サーバに接続し、データ通信を行う。処理部２０は、送受信するデータを記憶部１５から読み出し、パケット等に格納する処理を実行して各種サーバに送信する。また、処理部２０は、各種サーバから受信したパケットからデータを取り出す処理を実行して、取り出したデータを、例えば、記憶部１５に記憶する。
【００２３】
処理部２０は、記憶部１５に記憶された動画像のデータを読み出し、データの伸張及び表示処理等の画像処理を実行する。尚、画像処理は、図示しないＧＰＵで実行することもできる。処理部２０は、画像処理後のデータを表示部１７に表示する。
【００２４】
判定部２１は、検出部１１から温度情報が入力される。判定部２１は、温度情報の温度がＣＰＵの負荷が高い機能又は充電機能を停止させる臨界値以上であるか否かを判定する。判定部２１は、温度が臨界値以上である場合には、ＣＰＵの負荷が高い機能又は充電機能を停止する。ここで、ＣＰＵの負荷が高い機能は、例えば、カメラ機能、テレビ受信機能、データ通信機能及び動画再生機能等が挙げられる。また、判定部２１は、温度が臨界値以上である場合であって、内蔵する二次電池に充電中である場合には、充電機能を停止する。
【００２５】
判定部２１は、温度が臨界値未満である場合には、ＣＰＵの負荷が高い機能又は充電機能が停止中であるか否かを判定する。判定部２１は、温度が臨界値未満であって、ＣＰＵの負荷が高い機能又は充電機能が停止中である場合には、機能の停止を解除する。
【００２６】
判定部２１は、ＣＰＵの負荷が高い機能又は充電機能が実行中である場合には、温度が記憶部１５に制御情報として記憶された所定値以上であるか否かを判定する。判定部２１は、温度が所定値以上である場合には、モード設定を有効とするモード設定情報を設定部２３に出力する。判定部２１は、温度が所定値未満である場合には、処理を終了する。ここで、モード設定情報を出力する温度の所定値は、臨界値未満の温度であり、例えば、臨界値が５０℃であったとすると、例えば、所定値は４０℃とすることができる。尚、臨界値及び所定値は、この例示に限るものではなく、任意の値に設定することができる。
【００２７】
解析部２２は、ＣＰＵの負荷が高い機能又は充電機能の使用情報を収集して使用履歴として記憶部１５に記憶する。また、解析部２２は、使用情報を所定数（Ｎ個）以上収集すると、記憶部１５から使用履歴を読み出し使用履歴の解析を行って、解析結果を記憶部１５に記憶する。ここで、使用情報は、例えば、ＣＰＵの負荷が高い機能又は充電機能の１回あたりの使用時間を用いることができる。また、使用履歴の解析は、例えば、使用情報を５個収集すると開始するようにできる。また、解析部２２は、解析結果として、使用時間の平均値や標準偏差等を用いることができる。
【００２８】
設定部２３は、判定部２１からモード設定情報が入力されると、記憶部１５に解析部２２が記憶した解析結果が記憶されているか否かを判定する。設定部２３は、記憶部１５に解析結果が記憶されていない場合は、動作モードは初期設定の動作モードとなる。設定部２３は、記憶部１５に解析結果が記憶されている場合には、解析結果を記憶部１５から読み出す。設定部２３は、解析結果に基づいて、ＣＰＵの負荷が高い機能又は充電機能の所定時間以上の使用の傾向の有無を決定する。設定部２３は、例えば、所定時間を５分とすると、ＣＰＵの負荷が高い機能の使用時間が２〜３分と短い場合が多いユーザであれば、所定時間以上の使用の傾向がないと決定する。また、設定部２３は、例えば、所定時間を５分とすると、ＣＰＵの負荷が高い機能の使用時間が１０分程度と長い場合が多いユーザであれば、所定時間以上の使用の傾向があると決定する。
【００２９】
設定部２３は、ＣＰＵの負荷が高い機能又は充電機能について、所定時間以上の使用の傾向がある場合には、動作モードを第１のモードに設定する。ここで、第１のモードは、ＣＰＵの負荷が高い機能又は充電機能について、機能を制限するモードである。第１のモードは、例えば、カメラ機能であれば、動画を撮影する場合に画質をＨＤ画質に設定し、テレビ受信機能であれば、ワンセグ放送を受信する。また、第１のモードは、例えば、データ通信機能であれば、第３世代又は第３．５世代の回線を使用し、動画再生機能であれば、フレームレートを落として再生する。更に、第１のモードは、例えば、充電機能であれば、二次電池の充電電流を制限する。
【００３０】
設定部２３は、ＣＰＵの負荷が高い機能又は充電機能について、所定時間以上の使用の傾向がない場合には、動作モードを第２のモードに設定する。ここで、第２のモードは、ＣＰＵの負荷が高い機能又は充電機能について、機能を制限しないモードである。つまり、第２のモードは、例えば、カメラ機能であれば、動画を撮影する場合に画質をＦＨＤ画質に設定し、テレビ受信機能であれば、フルセグ放送を受信する。また、第２のモードは、例えば、データ通信機能であれば、第３．９世代の回線を使用し、動画再生機能であれば、フレームレートを落とさずに再生する。更に、第２のモードは、例えば、充電機能であれば、二次電池について大電流での充電を行う。
【００３１】
次に、実施例１の携帯端末装置１０の動作について説明する。図２は、実施例１の携帯端末装置の処理の一例を示すフローチャートである。尚、携帯端末装置１０の動作の説明は、ＣＰＵの負荷が高い機能又は充電機能のうち、カメラ機能を例として説明する。
【００３２】
携帯端末装置１０は、ユーザの操作によってカメラ機能の使用を開始する（ステップＳ１）。処理部２０は、カメラ１２を起動して画像データの取得を開始し、画像処理を実行する。処理部２０は、画像処理後の画像データを記憶部１５に記憶するとともに、表示部１７に表示する。尚、携帯端末装置１０は、ユーザのカメラ機能の使用履歴が所定回数蓄積されるまで、長時間の撮影にも対応可能なように、動作モードの初期設定として、例えば、解像度を落としたＨＤ画質での撮影モードに設定する。
【００３３】
携帯端末装置１０は、カメラ機能の使用が開始されると、携帯端末装置１０の温度の検出・判定処理を実行する（ステップＳ２）。図３は、温度の検出・判定処理の一例を示すフローチャートである。検出部１１は、携帯端末装置１０の温度を検出し、温度情報を制御部１９内の判定部２１に出力する（ステップＳ２１）。判定部２１は、検出部１１から温度情報が入力されると、温度情報の温度が臨界値以上であるか否かを判定する（ステップＳ２２）。判定部２１は、温度が臨界値以上である場合には（ステップＳ２２：肯定）、カメラ機能を停止する（ステップＳ２３）。
【００３４】
判定部２１は、温度が臨界値未満である場合には（ステップＳ２２：否定）、カメラ機能が停止中であるか否かを判定する（ステップＳ２４）。判定部２１は、カメラ機能が停止中である場合には（ステップＳ２４：肯定）、カメラ機能の停止を解除する（ステップＳ２５）。判定部２１は、カメラ機能が実行中である場合には（ステップＳ２４：否定）、温度が所定値以上であるか否かを判定する（ステップＳ２６）。
【００３５】
判定部２１は、温度が所定値以上である場合には（ステップＳ２６：肯定）、モード設定情報を設定部２３に出力する（ステップＳ２７）。判定部２１は、温度が所定値未満である場合には（ステップＳ２６：否定）、温度の検出・判定処理を終了する。
【００３６】
携帯端末装置１０の判定部２１は、温度の検出・判定処理によって、携帯端末装置１０の温度が臨界値以上である場合に、発熱の要因となる、例えば、カメラ機能を停止することができる。また、携帯端末装置１０の判定部２１は、携帯端末装置１０の温度が所定値以上である場合に、発熱の要因となる、例えば、カメラ機能を、発熱量が少なくなる動作モード（第１のモード）に設定するためのモード設定情報を出力することができる。尚、携帯端末装置１０の温度が所定値未満の場合は、携帯端末装置１０の各機能は制限されない。
【００３７】
図２の説明に戻って、解析部２２は、カメラ機能の使用履歴の収集・解析処理を実行する（ステップＳ３）。尚、使用履歴の収集・解析処理は、温度の検出・判定処理と並行して実行する。図４は、使用履歴の収集・解析処理の一例を示すフローチャートである。解析部２２は、カメラ機能の使用情報を収集して使用履歴として記憶部１５に記憶する（ステップＳ３１）。
【００３８】
解析部２２は、使用情報をＮ個以上収集したか否かを判定する（ステップＳ３２）。解析部２２は、使用情報をＮ個以上収集していない場合は（ステップＳ３２：否定）、ステップＳ３１に戻り、カメラ機能の使用情報の収集を継続する。解析部２２は、使用情報をＮ個以上収集している場合は（ステップＳ３２：肯定）、記憶部１５から使用履歴を読み出して使用履歴の解析を行う（ステップＳ３３）。解析部２２は、解析結果を記憶部１５に格納する（ステップＳ３４）。
【００３９】
携帯端末装置１０の解析部２２は、使用履歴の収集・解析処理によって、発熱の要因となる、例えば、カメラ機能について、ユーザの使用履歴を解析し、例えば、使用時間の平均値と標準偏差とを算出することができる。
【００４０】
図２の説明に戻って、設定部２３は、動作モードの設定処理を実行する（ステップＳ４）。図５は、動作モードの設定処理の一例を示すフローチャートである。設定部２３は、判定部２１からモード設定情報が入力されたか否かを判定する（ステップＳ４１）。設定部２３は、モード設定情報が入力されていない場合は（ステップＳ４１：否定）、動作モードの設定処理を終了する。設定部２３は、モード設定情報が入力されている場合は（ステップＳ４１：肯定）、記憶部１５に解析結果が記憶されているか否かを判定する（ステップＳ４２）。設定部２３は、記憶部１５に解析結果が記憶されていない場合は（ステップＳ４２：否定）、動作モードは初期設定の動作モードとなり、動作モードの設定処理を終了する。設定部２３は、記憶部１５に解析結果が記憶されている場合は（ステップＳ４２：肯定）、記憶部１５から解析結果を読み出す。
【００４１】
設定部２３は、解析結果に基づいて、カメラ機能の所定時間以上の使用の傾向の有無を決定する（ステップＳ４３）。設定部２３は、カメラ機能について、所定時間以上の使用の傾向があるか否かを判定する（ステップＳ４４）。設定部２３は、所定時間以上の使用の傾向がある場合には（ステップＳ４４：肯定）、動作モードを第１のモードに設定する（ステップＳ４５）。設定部２３は、所定時間以上の使用の傾向がない場合には（ステップＳ４４：否定）、動作モードを第２のモードに設定する（ステップＳ４６）。
【００４２】
携帯端末装置１０の設定部２３は、動作モードの設定処理によって、ユーザがカメラ機能を所定時間以上使用する傾向がある場合に、機能を制限する動作モードに設定することができる。
【００４３】
図２の説明に戻って、携帯端末装置１０は、ユーザの操作によってカメラ機能の使用が終了したか否かを判定する（ステップＳ５）。携帯端末装置１０は、カメラ機能の使用が終了した場合は（ステップＳ５：肯定）、カメラ機能の使用に関する処理を終了する。携帯端末装置１０は、カメラ機能の使用が終了していない場合は（ステップＳ５：否定）、ステップＳ２及びステップＳ３に戻り、ステップＳ２〜ステップＳ４までの処理を繰り返す。
【００４４】
携帯端末装置１０は、携帯端末装置１０の温度を検出及び判定し、カメラ機能の使用履歴を収集して解析する。また、携帯端末装置１０は、使用履歴の解析結果に基づいて、カメラ機能の動作モードを設定する。その結果、ユーザのカメラ機能の所定時間以上の使用の傾向に基づいて、カメラ機能の動作モードを設定できるので、携帯端末装置１０の温度が臨界値に達することを防止できる。
【００４５】
尚、説明の便宜上、図２〜図５の携帯端末装置１０の動作の説明では、ＣＰＵの負荷が高い機能又は充電機能の一例として、カメラ機能について説明した。しかし、上記の動作の説明では、テレビ受信機能、データ通信機能、動画再生機能及び充電機能についても、使用する機能の構成及び動作モードの内容を除いて同一の動作であるため、その動作の説明については省略する。また、動作モードの初期設定は、テレビ受信機能はワンセグ放送を受信し、データ通信機能は第３世代又は第３．５世代の回線を使用し、動画再生機能はフレームレートを落として再生し、充電機能は二次電池の充電電流を制限する設定とする。
【００４６】
次に、動作モードと温度上昇特性の関係について説明する。図６は、動作モードと温度上昇特性の関係の一例を示す説明図である。ここで、動作モードは、ＣＰＵの負荷が高い機能又は充電機能の一例として、カメラ機能の動作モードについて説明する。
【００４７】
携帯端末装置１０は、ユーザによってカメラ機能が起動されると、処理部２０が画像処理を実行することで発熱量が増加する。このとき、動作モードによって、画像処理のＣＰＵに対する負荷が異なるので、動作モードごとに温度上昇特性も異なる。図６では、例えば、中画質であるＨＤ画質に制限する第１のモードで撮影を行った場合と、高画質であるＦＨＤ画質の第２のモードで撮影を行った場合とを比較すると、第１のモードで撮影を行った場合の方が、温度が臨界値以上になるまでに時間を要する。つまり、カメラ機能は、第２のモードよりも第１のモードの方が、画質は落ちるが長時間撮影することができる。言い換えると、カメラ機能は、短時間の撮影であれば、画質の良い第２のモードで撮影することができる。
【００４８】
このため、携帯端末装置１０は、カメラ機能で短時間の撮影を行う傾向のユーザに対しては、第２のモードでの撮影を許可することで、ユーザのカメラ機能に対する満足度を向上させることができる。また、携帯端末装置１０は、カメラ機能で長時間の撮影を行う傾向のユーザに対しては、第１のモードで撮影することで、撮影中にカメラ機能が停止する可能性を低くでき、撮影機会の損失を防止することができる。
【００４９】
また、携帯端末装置１０は、カメラ機能の実行時の温度上昇特性に基づいて、各動作モードでの撮影可能時間（カメラ機能の使用可能時間）を設定することができる。カメラ機能の使用可能時間は、例えば、室温（２０℃）でカメラ機能の使用を開始した場合、第１のモードで撮影したときは、例えば、約１１分であり、第２のモードで撮影したときは、例えば、約９分とすることができる。携帯端末装置１０は、例えば、各動作モードで設定した使用可能時間と、使用可能時間から使用時間を引いた残りの使用可能時間とを、表示部１７に表示することで、ユーザに残りの使用可能時間を知らせることができる。
【００５０】
このように、携帯端末装置１０は、携帯端末装置１０の温度を検出し、当該温度が所定値以上か否かを判定するとともに、ＣＰＵの負荷が高い機能又は充電機能の使用履歴を収集して解析する。携帯端末装置１０は、携帯端末装置１０の温度が所定値以上の場合に、使用履歴の解析結果を参照して、各機能について所定使用時間以上の使用の傾向がある場合は、各機能の動作モードを機能の制限を行う第１のモードに設定する。また、携帯端末装置１０は、各機能について所定使用時間未満の使用の傾向がある場合は、動作モードを機能の制限を行わない第２のモードに設定する。その結果、携帯端末装置１０の温度が臨界値に達することを防止できる。また、ユーザの各機能の使用傾向に合わせて動作モードを設定できるので、ユーザの満足度を向上させることができる。
【００５１】
また、携帯端末装置１０は、ＣＰＵの負荷が高い機能又は充電機能の実行時の温度上昇特性に基づいて、動作モードごとの使用可能時間を設定する。その結果、残りの使用可能時間等を表示部１７に表示することができ、ユーザが各動作モードにおける残りの使用可能時間等を知ることができる。
【００５２】
また、携帯端末装置１０は、使用履歴として、カメラ、テレビ受信、データ通信、動画再生、及び、充電機能のうち１つ以上の使用履歴を収集し、これらの各機能について動作モードを設定する。その結果、各機能に応じた機能の制限を行うことができる。
【００５３】
また、上記実施例１では、ＣＰＵの負荷が高い機能又は充電機能の実行時に、携帯端末装置１０の温度を検出するようにしたが、これに限定されない。例えば、携帯端末装置１０は、携帯端末装置１０の電源が入っていれば、所定の間隔で温度を検出するようにしてもよい。その結果、例えば、直射日光の照射により携帯端末装置１０の温度が臨界値に達した場合に、全ての処理を停止させる、つまり、スリープ状態にする処理又は電源を落とす処理を実行することで、携帯端末装置１０の故障を防止することができる。
【００５４】
また、上記実施例１では、使用履歴を携帯端末装置１０の記憶部１５に記憶して、携帯端末装置１０が使用履歴を解析したが、これに限定されない。例えば、携帯端末装置１０は、通信部１６を介してインターネットに接続し、クラウドサービス上に使用履歴を記憶し、クラウドサービスと連携した解析サーバで使用履歴を解析して、解析結果を携帯端末装置１０が受信するようにしてもよい。
【実施例２】
【００５５】
そこで、このようにクラウドサービス上に使用履歴を記憶する実施の形態につき、実施例２として以下に説明する。尚、上記実施例１の携帯端末装置１０と同一の構成には、同一符号を付すことで、その重複する構成及び動作の説明については省略する。実施例２の携帯端末装置５０が実施例１の携帯端末装置１０と異なるところは、使用履歴をクラウドサービス上の個人サーバに記憶し、解析サーバで使用履歴を解析して、解析結果を携帯端末装置１０が受信する点にある。
【００５６】
図７は、実施例２の端末制御システムの構成の一例を示すブロック図である。実施例２の端末制御システム４０は、携帯端末装置５０と、クラウドサービス７０上の個人サーバ１００と、クラウドサービスと連携した解析サーバ２００とを有し、それぞれがネットワークＮで接続されている。実施例２の携帯端末装置５０は、解析部２２の代わりに、使用履歴の収集を行って通信部１６を介して個人サーバ１００に送信する収集部２４を有する。また、帯端末装置５０は、設定部２３の代わりに、解析結果を通信部１６を介して解析サーバ２００から受信する設定部２５を有する。実施例２の携帯端末装置５０は、これらの点を除き、携帯端末装置１０と同一の構成である。また、実施例２の個人サーバ１００は、実施例１の記憶部１５に相当し、実施例２の解析サーバ２００は、実施例１の解析部２２に相当する。
【００５７】
携帯端末装置５０の収集部２４は、ＣＰＵの負荷が高い機能又は充電機能の使用履歴の収集・送信処理を実行する。収集部２４は、ＣＰＵの負荷が高い機能又は充電機能の使用情報を収集して使用履歴として、一時的に記憶部１５に記憶する。また、収集部２４は、使用情報をＮ個以上収集したか否かを判定する。収集部２４は、使用情報をＮ個以上収集していない場合は、カメラ機能の使用情報の収集を継続する。収集部２４は、使用情報をＮ個以上収集している場合は、記憶部１５から一時的に記憶した使用履歴を読み出して、通信部１６を介して個人サーバ１００に送信する。
【００５８】
設定部２５は、ネットワークＮ及び通信部１６を介して解析サーバ２００から解析結果を受信する。設定部２５は、受信した解析結果に基づいて、動作モードの設定処理を実行する。尚、設定部２５のその他の処理は、実施例１の設定部２３と同一の処理である。
【００５９】
個人サーバ１００は、通信部１１０と、記憶部１２０と、制御部１３０とを有する。個人サーバ１００は、携帯端末装置５０から使用履歴を受信して記憶部１２０に記憶する。尚、個人サーバ１００は、個人サーバ１００の管理者等から各種操作を受け付ける入力部（例えば、キーボードやマウス等）や、各種情報を表示するための表示部（例えば、液晶ディスプレイ等）を有してもよい。
【００６０】
通信部１１０は、例えば、ＮＩＣ（Network  Interface  Card）等によって実現される。通信部１１０は、ネットワークＮと有線で接続され、ネットワークＮを介して携帯端末装置５０との間で情報の通信を司る通信インタフェースである。また、通信部１１０は、解析サーバ２００と有線で接続され、解析サーバ２００との間で情報の通信を司る通信インタフェースである。
【００６１】
記憶部１２０は、例えば、ＲＡＭ、フラッシュメモリ等の半導体メモリ素子、ハードディスクや光ディスク等の記憶装置によって実現される。記憶部１２０は、使用履歴を記憶する。
【００６２】
制御部１３０は、例えば、ＣＰＵやＭＰＵ等によって、内部の記憶装置に記憶されているプログラムがＲＡＭを作業領域として実行されることにより実現される。また、制御部１３０は、例えば、ＡＳＩＣやＦＰＧＡ等の集積回路により実現されるようにしても良い。制御部１３０は、個人サーバ１００全体を制御し、携帯端末装置５０からネットワークＮ及び通信部１１０を介して受信した使用履歴を、記憶部１２０に記憶する。また、制御部１３０は、個人サーバ１００に対するアクセスのユーザ認証を行う。ユーザ認証は、例えば、ＳＩＭ（Subscriber  Identity  Module）カードのＩＤ、クラウドサービスのＩＤ及び電話番号等とパスワードとを用いて行うことができる。
【００６３】
解析サーバ２００は、通信部２１０と、記憶部２２０と、制御部２３０とを有する。解析サーバ２００は、個人サーバ１００から使用履歴を取得して解析を行い、解析結果をネットワークＮを介して、携帯端末装置５０に送信する。尚、解析サーバ２００は、解析サーバ２００の管理者等から各種操作を受け付ける入力部（例えば、キーボードやマウス等）や、各種情報を表示するための表示部（例えば、液晶ディスプレイ等）を有してもよい。
【００６４】
通信部２１０は、例えば、ＮＩＣ（Network  Interface  Card）等によって実現される。通信部２１０は、ネットワークＮと有線で接続され、ネットワークＮを介して携帯端末装置５０との間で情報の通信を司る通信インタフェースである。また、通信部２１０は、個人サーバ１００と有線で接続され、個人サーバ１００との間で情報の通信を司る通信インタフェースである。
【００６５】
記憶部２２０は、例えば、ＲＡＭ、フラッシュメモリ等の半導体メモリ素子、ハードディスクや光ディスク等の記憶装置によって実現される。記憶部２２０は、各種情報を記憶する。
【００６６】
制御部２３０は、例えば、ＣＰＵやＭＰＵ等によって、内部の記憶装置に記憶されているプログラムがＲＡＭを作業領域として実行されることにより実現される。また、制御部２３０は、例えば、ＡＳＩＣやＦＰＧＡ等の集積回路により実現されるようにしても良い。制御部２３０は、解析サーバ２００全体を制御する。また、制御部２３０は、解析部２３１を有し、以下に説明する情報処理の機能や作用を実現又は実行する。尚、制御部２３０の内部構成は、図７に示した構成に限られず、後述する情報処理を行う構成であれば他の構成であってもよい。
【００６７】
解析部２３１は、通信部２１０を介して個人サーバ１００から使用履歴を取得する。解析部２３１は、取得した使用履歴について解析を行う。解析部２３１は、解析結果として、使用時間の平均値や標準偏差等を用いることができる。解析部２３１は、解析結果を通信部２１０及びネットワークＮを介して、携帯端末装置５０に送信する。
【００６８】
次に、実施例２の端末制御システム４０の動作について説明する。図８は、実施例２の携帯端末装置の処理の一例を示すフローチャートである。尚、携帯端末装置５０の動作の説明は、ＣＰＵの負荷が高い機能又は充電機能のうち、カメラ機能を例として説明する。
【００６９】
携帯端末装置５０は、ユーザの操作によってカメラ機能の使用を開始する（ステップＳ１０１）。ここで、ステップＳ１０１の処理は、実施例１のステップＳ１の処理と同一であるのでその説明は省略する。
【００７０】
携帯端末装置５０は、カメラ機能の使用が開始されると、携帯端末装置５０の温度の検出・判定処理を実行する（ステップＳ１０２）。ここで、ステップＳ１０２の処理は、実施例１のステップＳ２の処理と同一であるのでその説明は省略する。
【００７１】
収集部２４は、カメラ機能の使用履歴の収集・送信処理を実行する（ステップＳ１０３）。尚、使用履歴の収集・送信処理は、温度の検出・判定処理と並行して実行する。図９は、使用履歴の収集・送信処理の一例を示すフローチャートである。収集部２４は、カメラ機能の使用情報を収集して使用履歴として、一時的に記憶部１５に記憶する（ステップＳ１３１）。
【００７２】
収集部２４は、使用情報をＮ個以上収集したか否かを判定する（ステップＳ１３２）。収集部２４は、使用情報をＮ個以上収集していない場合は（ステップＳ１３２：否定）、ステップＳ１３１に戻り、カメラ機能の使用情報の収集を継続する。収集部２４は、使用情報をＮ個以上収集している場合は（ステップＳ１３２：肯定）、記憶部１５から一時的に記憶した使用履歴を読み出して、通信部１６を介して個人サーバ１００に送信する（ステップＳ１３３）。
【００７３】
携帯端末装置５０の収集部２４は、使用履歴の収集・送信処理によって、発熱の要因となる、例えば、カメラ機能について、ユーザの使用履歴を収集して個人サーバ１００に送信することができる。
【００７４】
個人サーバ１００は、使用履歴を受信すると、受信した使用履歴を記憶部１２０に記憶する。また、解析サーバ２００は、個人サーバ１００から使用履歴を取得して解析を行う。図１０は、解析サーバの処理の一例を示すフローチャートである。解析サーバ２００は、通信部２１０を介して個人サーバ１００から使用履歴を取得する（ステップＳ２０１）。解析サーバ２００の解析部２３１は、取得した使用履歴について解析を行う（ステップＳ２０２）。解析部２３１は、解析結果を通信部２１０及びネットワークＮを介して、携帯端末装置５０に送信する（ステップＳ２０３）。
【００７５】
解析サーバ２００は、個人サーバ１００から使用履歴を取得して使用履歴の解析を行うことで、携帯端末装置５０の記憶部１５の容量の節約及び処理の負荷を軽減することができる。
【００７６】
図８の説明に戻って、携帯端末装置５０の設定部２５は、ネットワークＮ及び通信部１６を介して解析サーバ２００から解析結果を受信する（ステップＳ１０４）。設定部２５は、動作モードの設定処理を実行する（ステップＳ１０５）。ここで、ステップＳ１０５の処理は、受信した解析結果を用いる点を除き、実施例１のステップＳ４の処理と同一であるのでその説明は省略する。
【００７７】
携帯端末装置５０は、ユーザの操作によってカメラ機能の使用が終了したか否かを判定する（ステップＳ１０６）。携帯端末装置５０は、カメラ機能の使用が終了した場合は（ステップＳ１０６：肯定）、カメラ機能の使用に関する処理を終了する。携帯端末装置５０は、カメラ機能の使用が終了していない場合は（ステップＳ１０６：否定）、ステップＳ１０２及びステップＳ１０３に戻り、ステップＳ１０２〜ステップＳ１０５までの処理を繰り返す。
【００７８】
このように、端末制御システム４０の携帯端末装置５０は、携帯端末装置５０の温度を検出及び判定し、カメラ機能の使用履歴を収集し、個人サーバ１００に送信する。個人サーバ１００は、使用履歴を記憶する。解析サーバ２００は、個人サーバ１００から使用履歴を取得して解析し、解析結果を携帯端末装置５０に送信する。携帯端末装置５０は、使用履歴の解析結果に基づいて、カメラ機能の動作モードを設定する。その結果、携帯端末装置５０の記憶部１５の容量の節約及び処理の負荷を軽減することができる。また、実施例１と同様に、ユーザのカメラ機能の所定時間以上の使用の傾向に基づいて、カメラ機能の動作モードを設定できるので、携帯端末装置５０の温度が臨界値に達することを防止できる。
【００７９】
尚、説明の便宜上、図８〜図１０の携帯端末装置５０の動作の説明では、ＣＰＵの負荷が高い機能又は充電機能の一例として、カメラ機能について説明した。しかし、他のＣＰＵの負荷が高い機能又は充電機能についても、使用する機能の構成及び動作モードの内容を除いて同一の動作であるため、その動作の説明については省略する。
【００８０】
また、上記各実施例では、データ通信機能において、所定時間以上の使用の傾向がある場合に動作モードを第１のモードに設定したが、これに限定されない。例えば、携帯端末装置は、インターネット上のファイルをダウンロードする際に、ファイルの大きさを予め知ることができる。つまり、携帯端末装置は、例えば、５００ＭＢｙｔｅのファイルをダウンロードする場合に、これからダウンロードするファイルが５００ＭＢｙｔｅであることを知ることができる。携帯端末装置は、各動作モードの温度上昇特性に基づいて、例えば、第３．９世代の回線を使用すると５００ＭＢｙｔｅのファイルのダウンロードが完了しないうちに、携帯端末装置の温度が臨界値に達してしまうと判定したとする。すると、携帯端末装置は、第３世代又は第３．５世代の回線を使用してダウンロードを行うように動作モードを設定する。その結果、携帯端末装置は、第３．９世代の回線を使用する場合に比較して、ファイルのダウンロードの時間は長くなるが、途中でデータ通信機能が停止してダウンロードが失敗することを防止できる。
【００８１】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。例えば、検出部１１は、制御部１９に内蔵されている温度センサを用いるようにしてもよい。
【００８２】
更に、各部で行われる各種処理機能は、ＣＰＵ（又はＭＰＵ、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行されるプログラム上、又はワイヤードロジックによるハードウエア上で、その全部又は任意の一部を実行するようにしてもよいことは言うまでもない。
【００８３】
ところで、上記の実施例で説明した各種の処理は、予め用意されたプログラムを携帯端末機器で実行することで実現できる。そこで、以下では、上記の実施例と同様の機能を有するプログラムを実行する携帯端末機器の一例を説明する。図１１は、端末制御プログラムを実行する携帯端末機器の一例を示す説明図である。
【００８４】
図１１に示す端末制御プログラムを実行する携帯端末機器３００は、インタフェース部３１１と、ＲＡＭ３１２と、ＲＯＭ（Read  Only  Memory）３１３と、プロセッサ３１４とを有する。インタフェース部３１１は、携帯端末機器３００内の図示しない検出部、カメラ、ＴＶ受信部、充電部及び通信部と通信する。プロセッサ３１４は、携帯端末機器３００全体を制御する。
【００８５】
そして、ＲＯＭ３１３には、上記実施例と同様の機能を発揮する端末制御プログラムが予め記憶されている。尚、ＲＯＭ３１３ではなく、図示せぬドライブで読取可能な記録媒体に端末制御プログラムが記録されていてもよい。また、記録媒体としては、例えば、ＣＤ−ＲＯＭ、ＤＶＤディスク、ＵＳＢメモリ等の可搬型記録媒体、フラッシュメモリ等の半導体メモリ等でもよい。端末制御プログラムとしては、図１１に示すように、検出プログラム３１３Ａ、判定プログラム３１３Ｂ、解析プログラム３１３Ｃ及び設定プログラム３１３Ｄである。尚、プログラム３１３Ａ〜３１３Ｄについては、適宜統合又は分散してもよい。また、ＲＡＭ３１２には、温度情報、制御情報（臨界値及び所定値）、使用履歴及び解析結果等を格納するデータベースが記憶してある。
【００８６】
そして、プロセッサ３１４が、これらのプログラム３１３Ａ〜３１３ＤをＲＯＭ３１３から読み出し、これらの読み出された各プログラムを実行する。そして、プロセッサ３１４は、図１１に示すように、各プログラム３１３Ａ〜３１３Ｄを、検出プロセス３１４Ａ、判定プロセス３１４Ｂ、解析プロセス３１４Ｃ及び設定プロセス３１４Ｄとして機能することになる。
【００８７】
プロセッサ３１４は、入力された携帯端末機器の温度を検出し、検出された温度が所定値以上か否かを判定する。プロセッサ３１４は、携帯端末機器の機能の使用履歴を収集して解析する。プロセッサ３１４は、温度が所定値以上の場合に、使用履歴の解析結果を参照して、当該機能について所定使用時間以上の使用の傾向がある場合は、当該機能の動作モードを機能の制限を行う第１のモードに設定する。プロセッサ３１４は、当該機能について所定使用時間未満の使用の傾向がある場合は、動作モードを機能の制限を行わない第２のモードに設定する。その結果、装置の温度が臨界値に達することを防止できる。
【００８８】
以上、本実施例を含む実施の形態に関し、更に以下の付記を開示する。
【００８９】
（付記１）携帯端末装置の温度を検出する検出部と、
前記検出された温度が所定値以上か否かを判定する判定部と、
前記携帯端末装置の機能の使用履歴を収集して解析する解析部と、
前記検出された温度が前記所定値以上の場合に、前記使用履歴の解析結果を参照して、前記機能について所定使用時間以上の使用の傾向がある場合は、前記機能の動作モードを前記機能の制限を行う第１のモードに設定し、前記機能について前記所定使用時間未満の使用の傾向がある場合は、前記動作モードを前記機能の制限を行わない第２のモードに設定する設定部と、
を有することを特徴とする携帯端末装置。
【００９０】
（付記２）前記設定部は、更に、前記機能の実行時の温度上昇特性に基づいて、前記動作モードごとの使用可能時間を設定することを特徴とする付記１に記載の携帯端末装置。
【００９１】
（付記３）前記解析部は、前記使用履歴として、カメラ、テレビ受信、データ通信、動画再生、及び、充電機能のうち１つ以上の使用履歴を収集し、
前記設定部は、前記動作モードとして、カメラ、テレビ受信、データ通信、動画再生、及び、充電機能のうち１つ以上の前記動作モードを設定することを特徴とする付記１又は２に記載の携帯端末装置。
【００９２】
（付記４）コンピュータに、
入力された携帯端末装置の温度を検出し、
前記検出された温度が所定値以上か否かを判定し、
前記携帯端末装置の機能の使用履歴を収集して解析し、
前記温度が前記所定値以上の場合に、前記使用履歴の解析結果を参照して、前記機能について所定使用時間以上の使用の傾向がある場合は、前記機能の動作モードを前記機能の制限を行う第１のモードに設定し、前記機能について前記所定使用時間未満の使用の傾向がある場合は、前記動作モードを前記機能の制限を行わない第２のモードに設定する
処理を実行させることを特徴とする端末制御プログラム。
【００９３】
（付記５）携帯端末装置が、
前記携帯端末装置の温度を検出し、
前記検出された温度が所定値以上か否かを判定し、
前記携帯端末装置の機能の使用履歴を収集して解析し、
前記検出された温度が前記所定値以上の場合に、前記使用履歴の解析結果を参照して、前記機能について所定使用時間以上の使用の傾向がある場合は、前記機能の動作モードを前記機能の制限を行う第１のモードに設定し、前記機能について前記所定使用時間未満の使用の傾向がある場合は、前記動作モードを前記機能の制限を行わない第２のモードに設定する
処理を実行することを特徴とする端末制御方法。
【００９４】
（付記６）携帯端末装置と、個人サーバと、解析サーバとを有する端末制御システムであって、
前記携帯端末装置は、
前記携帯端末装置の温度を検出する検出部と、
前記検出された温度が所定値以上か否かを判定する判定部と、
前記携帯端末装置の機能の使用履歴を収集する収集部と、
前記個人サーバに前記使用履歴を送信し、前記解析サーバから前記使用履歴の解析結果を受信する通信部と、
前記検出された温度が前記所定値以上の場合に、前記使用履歴の解析結果を参照して、前記機能について所定使用時間以上の使用の傾向がある場合は、前記機能の動作モードを前記機能の制限を行う第１のモードに設定し、前記機能について前記所定使用時間未満の使用の傾向がある場合は、前記動作モードを前記機能の制限を行わない第２のモードに設定する設定部と、を有し、
前記個人サーバは、前記携帯端末装置から受信した前記使用履歴を記憶する記憶部を有し、
前記解析サーバは、前記個人サーバから前記使用履歴を取得して解析を行う解析部を有することを特徴とする端末制御システム。
【符号の説明】
【００９５】
１０，５０  携帯端末装置
１１  検出部
１２  カメラ
１３  ＴＶ受信部
１４  充電部
１５  記憶部
１６  通信部
１７  表示部
１８  操作部
１９  制御部
２０  処理部
２１  判定部
２２  解析部
２３，２５  設定部
２４  収集部
４０  端末制御システム
７０  クラウドサービス
１００  個人サーバ
２００  解析サーバ
Ｎ  ネットワーク
【図１】
2015005932.tif 000003
【図２】
2015005932.tif 000004
【図３】
2015005932.tif 000005
【図４】
2015005932.tif 000006
【図５】
2015005932.tif 000007
【図６】
2015005932.tif 000008
【図７】
2015005932.tif 000009
【図８】
2015005932.tif 000010
【図９】
2015005932.tif 000011
【図１０】
2015005932.tif 000012
【図１１】
2015005932.tif 000013